(57)【特許請求の範囲】
【請求項１】
角材が挿入される第１の筒部と、
角材が挿入される第２の筒部であって、前記第１の筒部に直交して略Ｌ字形状をなすように一体に形成される、第２の筒部と、
角材が挿入される第３の筒部であって、前記第１の筒部及び前記第２の筒部に対して回転可能に形成される、第３の筒部と、
を備える、雨戸用の治具。
【請求項２】
前記第３の筒部に挿入される角材の軸線方向に伸縮して、前記第３の筒部に挿入される角材に軸線方向の圧縮力又は引張力を作用させる、伸縮機構をさらに備える、請求項１に記載された、雨戸用の治具。
【請求項３】
前記第１の筒部、前記第２の筒部、及び、前記第３の筒部には、挿入された角材を所望の位置に固定するための複数の取付孔が、長さ方向に間隔を空けて形成されている、請求項２に記載された、雨戸用の治具。
【請求項４】
前記第１の筒部又は前記第２の筒部の少なくともいずれか一方は、末端が開口されており、挿入された角材が貫通できるようにされている、請求項２又は請求項３に記載された、雨戸用の治具。
【請求項５】
前記第１の筒部及び前記第２の筒部は、直交する前記第１の筒部と前記第２の筒部によってなす平面の面外に突出する掛止部をさらに有し、前記掛止部にはガスケットが設置されている、請求項２乃至請求項４のいずれか一項に記載された、雨戸用の治具。
【請求項６】
既設窓において対角位置に配置された１対の雨戸用の治具であって、請求項１乃至請求項５のいずれか一項に記載された、１対の雨戸用の治具と、
前記第１の筒部のそれぞれに挿入・固定された角材と、前記第２の筒部のそれぞれに挿入・固定された角材と、対向する前記第３の筒部の間に共通して挿入・固定された角材と、
前記角材に固定された面材と、
を備える、雨戸。
【請求項７】
請求項５に記載された雨戸用の治具を用いて、外壁面より突出した既設窓に雨戸を構築する、雨戸の構築方法であって、
１対の雨戸用の治具を既設窓の対角位置に配置する工程と、
前記１対の雨戸用の治具の前記第３の筒部の間に共通して角材を挿入・固定する工程と、
前記掛止部を前記既設窓の枠の外側に引っ掛ける工程と、
前記伸縮機構を縮めることで前記角材の軸線方向に引張力を作用させる工程と、
前記第１の筒部及び前記第２の筒部に角材を挿入・固定する工程と、
前記角材に面材を固定する工程と、
を備える、雨戸の構築方法。
【請求項８】
請求項２乃至請求項５のいずれか一項に記載された雨戸用の治具を用いて、外壁面より引き込まれた既設窓に雨戸を構築する、雨戸の構築方法であって、
１対の雨戸用の治具を既設窓の対角位置に配置する工程と、
前記１対の雨戸用の治具の前記第３の筒部の間に共通して角材を挿入・固定する工程と、
前記雨戸用の治具を前記既設窓の枠の内側に載置する工程と、
前記伸縮機構を伸ばすことで前記角材の軸線方向に圧縮力を作用させる工程と、
前記第１の筒部及び前記第２の筒部に角材を挿入・固定する工程と、
前記角材に面材を固定する工程と、
を備える、雨戸の構築方法。
【発明の詳細な説明】
【技術分野】
【０００１】
本発明は、窓に簡易に取り付けることができる雨戸用の治具と、この雨戸用の治具を用いた雨戸の構築方法と、に関するものである。
【背景技術】
【０００２】
（きっかけ）
近年「５０年に一度」といわれる大雨や台風が頻繁に起こり、多くの死傷者が出ている。特に九州地方においては「５０年に一度」が毎年のように起こっており、各地で災害が起きている。また、災害復旧は１年以上経っても終わらず、建物自体が使えなくなる事態も生じている。
【０００３】
（雨戸の設置状況）
大都市における雨戸やシャッターは主に防犯上の観点から設置されることが多い。地方における設置例は、豪雪地区では多いが、市街部においては少ない。そのため、既存の窓に後付けされる雨戸もいくつか開発されている。
【０００４】
後付けの雨戸として、例えば、特許文献１には、既存の出窓と、レールを固定するための取付治具（２）、レール（１）、コーナー押え治具（４）で構成された、枠組が開示されている。この枠組を用いれば、需要者の要求にあった外観を形成し、丈夫で信頼できる雨戸を既存の住宅に安価で提供することができる、とされている。
【先行技術文献】
【特許文献】
【０００５】
【特許文献１】特開２０００−９６９４８号公報
【発明の概要】
【発明が解決しようとする課題】
【０００６】
「窓を守る」ことは基本的にガラスを守ることである。いざ台風が接近し、窓を養生する場合、エアクッションやブルーシートをテープで留める場合がある。この場合の問題点は、窓を覆う素材が柔らかいことであり、硬いものが飛んできたときの防御にはならない。また、柔らかい素材は、風に煽られ設置しにくいのが難点である。
【０００７】
本来はベニヤ等を外壁に直接打ち付けたいが、外壁に孔をあけることになる。必ずしも起こる保証のない災害に対し、外壁に直接打ち付けることは心理上難しい。いかにして外壁を傷つけずに「下地」をつくるのか、が極めて重要となる。先に説明した特許文献１でも、治具自体は出窓にビス等によって固定されており、外壁を傷つけることになっていた。
【０００８】
そこで、本発明は、比較的に強度が高く簡易に取り付けることができる雨戸を提供することを目的としている。
【課題を解決するための手段】
【０００９】
前記目的を達成するために、本発明の雨戸用の治具は、角材が挿入される第１の筒部と、角材が挿入される第２の筒部であって、前記第１の筒部に直交して略Ｌ字形状をなすように一体に形成される、第２の筒部と、角材が挿入される第３の筒部であって、前記第１の筒部及び前記第２の筒部に対して回転可能に形成される、第３の筒部と、を備えている。
【発明の効果】
【００１０】
このように、本発明の雨戸用の治具は、角材が挿入される第１の筒部と、角材が挿入される第２の筒部であって、第１の筒部に直交して略Ｌ字形状をなすように一体に形成される、第２の筒部と、角材が挿入される第３の筒部であって、第１の筒部及び第２の筒部に対して回転可能に形成される、第３の筒部と、を備えている。このような構成であれば、この雨戸用の治具に角材を挿入し、角材に面材を取り付けることによって、外壁を傷つけることなく、比較的に強度が高く簡易に取り付けることができる雨戸を提供することができる。
【図面の簡単な説明】
【００１１】
【図１】実施例の雨戸用の治具の正面図である。
【図２】実施例の雨戸用の治具の伸縮機構の説明図である。（ａ）はハンドルを有する機構であり、（ｂ）はナット部を有する機構である。
【図３】雨戸用の治具に角材を挿入した状態を説明する正面図である。
【図４】雨戸用の治具の使用状態の断面図である。
【図５】雨戸用の治具の使用例である。（ａ）は外側に引っ掛ける例であり、（ｂ）は内側から突っ張る例である。
【図６】雨戸用の治具の配置例である。（ａ）は縦長の窓の例であり、（ｂ）は横長の窓の例であり、（ｃ）は大きい窓の例である。
【発明を実施するための形態】
【００１２】
以下、本発明の実施の形態について図面を参照して説明する。ただし、以下の実施例に記載されている構成要素は例示であり、本発明の技術範囲をそれらのみに限定する趣旨のものではない。
【実施例】
【００１３】
（構成）
まず、図１〜図３を用いて、本実施例の雨戸用の治具Ｍの全体構成を説明する。雨戸用の治具Ｍは、図１〜図３に示すように、部材の全体が金属製であり、角材が挿入される第１の筒部１０と、角材が挿入される第２の筒部２０であって、第１の筒部１０に直交して略Ｌ字形状をなすように一体に形成される、第２の筒部２０と、角材が挿入される第３の筒部３０であって、第１の筒部１０及び第２の筒部２０に対して回転可能に形成される、第３の筒部３０と、を備えている。
【００１４】
第１の筒部１０は、例えば３０ｍｍ×４０ｍｍの内空断面を有する金属製の筒状の部材である。そして、第１の筒部１０の一方の側面（正面）には、長さ方向に間隔を空けて角材用の３つの孔１１、１１、１１と、１つの面材用の孔１２と、が設けられている。第１の筒部１０の内部の挿入部１０ａには、例えば、３０ｍｍ×４０ｍｍの断面の角材９１が挿入されて、孔１１を介して釘やビスによって角材（９１）と第１の筒部１０とが固定される。さらに、第１の筒部１０の一方の側面（正面）には、孔１２を介して釘やビスによって面材（９４）が固定される。第１の筒部１０の末端は、第２の筒部２０によって閉塞されている。
【００１５】
同様に、第２の筒部２０は、例えば３０ｍｍ×４０ｍｍの内空断面を有する金属製の筒状の部材である。そして、第２の筒部２０の一方の側面（正面）には、長さ方向に間隔を空けて角材用の４つの孔２１、２１、２１、２１と、３つの面材用の孔１２と、が設けられている。第２の筒部２０の内部の挿入部２０ａには、例えば、３０ｍｍ×４０ｍｍの断面の角材（９２）が挿入されて、孔２１を介して釘やビスによって角材９２と第２の筒部２０とが固定される。さらに、第２の筒部２０の一方の側面（正面）には、孔２２を介して釘やビスによって面材（９４）が固定される。
【００１６】
加えて、第２の筒部２０は、末端が閉塞されることなく開口されている。すなわち、第２の筒部２０の内部の挿入部２０ａは、両端が開口している。したがって、後述するように、第２の筒部２０に挿入される角材（９２）は、第２の筒部２０の開口した末端を貫通することができるようになっており、概略の長さのものを用いることができるようになっている。
【００１７】
そして、この第２の筒部２０は、第１の筒部１０に直交して、両方で略Ｌ字形状をなすように一体に形成される。すなわち、第１の筒部１０の末端近傍には第２の筒部２０が直交するように９０度の角度で溶接されている。
【００１８】
同様に、第３の筒部３０は、例えば３０ｍｍ×４０ｍｍの内空断面を有する金属製の筒状の部材である。そして、第３の筒部３０の一方の側面には、角材用の２つの孔３１、３１が設けられている。第３の筒部３０の内部の挿入部３０ａには、例えば、３０ｍｍ×４０ｍｍの断面の角材（９３）が挿入されて、孔３１を介して釘やビスによって角材９３と第３の筒部３０とが固定される。なお、第３の筒部３０の一方の側面（正面）には、さらに面材用の孔を設けることもできる。
【００１９】
また、第３の筒部３０は、第１の筒部１０及び第２の筒部２０に対して、回転可能に形成されている。具体的に言うと、第１の筒部１０と第２の筒部２０によって形成される隅角部には、ブラケット４１が設置されており、このブラケット４１に回転軸４２が支承されている。そして、第３の筒部３０は、第３の筒部３０と一体の取付部６０の取付孔６１に回転軸４２が挿通されて、回転自在に支承されている。この回転軸４２は、第１の筒部１０と第２の筒部２０とによって構成される平面に対して垂直方向に設置されているため、第３の筒部３０は、その平面の面内で回転できるようになっている。なお、回転角度の範囲は、例えば、１０度〜８０度の７０度の範囲であることが好ましい。
【００２０】
そして、本実施例の雨戸用の治具Ｍは、図２（ａ）、（ｂ）に示すように、第３の筒部３０に挿入される角材（９３）の軸線方向に伸縮する伸縮機構５０をさらに備えている。伸縮機構５０は、第３の筒部３０の上部の内面に螺刻された右ネジ（雌ネジ）５１と、周囲に雄ネジが螺刻されたネジ部材５２と、取付部６０の下部の内面に螺刻された左ネジ（雌ネジ）と、から構成されている。
【００２１】
さらに、伸縮機構５０は、図２（ａ）に示すように、ハンドル５４を手で正方向／逆方向に回転させることによって伸縮するように構成されている。具体的には、ハンドル５４にはウォーム５５が同軸上に取り付けられており、このウォーム５５と噛み合うウォーム歯車５６が直交して取り付けられている。そして、このウォーム歯車５６がネジ部材５２と同軸上に取り付けられている。
【００２２】
そうすると、ハンドル５４を手で正方向／逆方向に回転させることで、連動してネジ部材５２が回転する。例えば、ハンドル５４を正方向に回転させることでネジ部材５２も正方向に回転し、右ネジ５１と一体の取付部６０と左ネジ５３と一体の第３の筒部３０とを互いに近づける。すなわち、伸縮機構５０は軸線方向に縮む。逆に、ハンドル５４を逆方向に回転させることでネジ部材５２も逆方向に回転し、右ネジ５１と一体の取付部６０と左ネジ５３と一体の第３の筒部３０とを互いに遠ざける。すなわち、伸縮機構５０は軸線方向に伸びる。
【００２３】
あるいは、伸縮機構５０は、図２（ｂ）に示すように、ナット部７０を手やトルクレンチ（スパナ）で正方向／逆方向に回転させることによって伸縮するように構成することもできる。具体的には、ナット部７０はネジ部材５２と同軸上に取り付けられている。
【００２４】
そうすると、ナット部７０を手又はトルクレンチ（スパナ）等で正方向／逆方向に回転させることで、連動して同軸上のネジ部材５２が回転する。例えば、ナット部７０を正方向に回転させることでネジ部材５２も正方向に回転し、右ネジ５１と一体の取付部６０と左ネジ５３と一体の第３の筒部３０とを互いに近づける。すなわち、伸縮機構５０は軸線方向に縮む。逆に、ナット部７０を逆方向に回転させることでネジ部材５２も逆方向に回転し、右ネジ５１と一体の取付部６０と左ネジ５３と一体の第３の筒部３０とを互いに遠ざける。すなわち、伸縮機構５０は軸線方向に伸びる。
【００２５】
そして、実施例の雨戸用の治具Ｍを用いて、図３〜図５に示すような雨戸Ｓを構築することができる。以下、雨戸の構築方法について説明する。
【００２６】
（構築方法１：外壁面より突出した既設窓に雨戸を構築する場合）
次に、雨戸の構築方法について説明する。まず、雨戸用の治具Ｍを用いて、外壁面より突出した既設窓に雨戸を構築する場合について説明する。この場合、工程として、以下の（１）−（６）の工程を要する。
【００２７】
（１）１対の雨戸用の治具Ｍ、Ｍを既設窓Ｗの対角位置に配置する工程
調整代を確保するために、事前に伸縮機構５０を最大限に伸ばしておくことが好ましい。この工程（１）と次の工程（２）、（３）は、同時並行的に実施される。
【００２８】
（２）１対の雨戸用の治具Ｍ、Ｍの第３の筒部３０、３０の間に共通して１本の角材９３を挿入・固定する工程
この工程では、概略寸法に切断した斜めの角材９３を治具Ｍ、Ｍの第３の筒部３０に挿入した状態で、孔３１を介して釘やビス等によって固定する。
【００２９】
（３）掛止部１３、２３を既設窓Ｗの枠の外側に引っ掛ける工程
この工程では、掛止部１３、２３に内向きに取り付けられたガスケット１４、２４を既設窓Ｗの外側に引っ掛ける。この際、伸縮機構５０を用いて仮留めすることが好ましい。
【００３０】
（４）伸縮機構５０を縮めることで角材９３の軸線方向に引張力を作用させる工程
この工程では、伸縮機構５０のハンドル５４を手で回したり、ナット部７０を手やスパナ等で回したりすることで、伸縮機構５０を縮めて引張力を作用させる。所定のトルクで締め付けるために、トルクレンチ等でトルクを管理することが好ましい。この引張力を作用させる工程は、次の工程（５）の前の仮止め工程と、次の工程（５）の後の本締め工程と、に分けることが好ましい。
【００３１】
（５）第１の筒部１０、１０及び第２の筒部２０、２０に４本の角材９１、９１、９２、９２を挿入・固定する工程
各筒部１０、２０にそれぞれ角材９１、９２を挿入して、孔３１を介して釘やビスによって固定する。さらに、角材９１〜９３どうしを互いにビス留めすることが好ましい。
【００３２】
（６）５本の角材９１〜９３に面材９４を固定する工程
最後に、５本の角材９１〜９３や雨戸用の治具Ｍに、面材９４を孔３２を介して釘やビスによって固定する。ここにおいて、面材９４としては、合板、アクリル板、ポリカーボネート板等を用いることができる。例えば、被災中の住宅であっても外部から室内を見通すことができるように、透明なアクリル板やポリカーボネート板を用いることが好ましい。
【００３３】
上述したように、既設の窓Ｗが外壁面よりも外側にはみ出している場合には、はみ出た部分の外側に雨戸用の治具Ｍ、Ｍを対角線上に引っ掛けたうえで、図５（ａ）に示すように、斜めの部材を縮めて引張力を作用させることによって、雨戸用の治具Ｍとともに角材９１〜９３を窓Ｗに対して固定する。その後、固定された角材９１〜９３に面材９４を固定することによって、雨戸Ｓが完成する。
【００３４】
（構築方法２：外壁面より引き込まれた（控えた）既設窓に雨戸を構築する場合）
次に、雨戸用の治具Ｍを用いて、外壁面より引き込まれた既設窓に雨戸を構築する場合について説明する。この場合、工程として、以下の（１）−（６）の工程を要する。上述の構築方法１の工程と同様の工程については説明を省略する。
（１）１対の雨戸用の治具Ｍ、Ｍを既設窓Ｗの対角位置に配置する工程
調整代を確保するために、事前に伸縮機構５０を最大限に縮めておくことが好ましい。
（２）１対の雨戸用の治具Ｍ、Ｍの第３の筒部３０、３０の間に共通して１本の角材９３を挿入・固定する工程
（３）雨戸用の治具Ｍ、Ｍを既設窓Ｗの枠の内側に載置する工程
（４）伸縮機構５０を伸ばすことで角材９３の軸線方向に圧縮力を作用させる工程
この工程では、伸縮機構５０のハンドル５４を手で回したり、ナット部７０を手やスパナ等で回したりすることで、伸縮機構５０を伸ばして圧縮力を作用させる。所定のトルクで締め付けるために、トルクレンチ等でトルクを管理することが好ましい。この圧縮力を作用させる工程は、次の工程（５）の前の仮止め工程と、次の工程（５）の後の本締め工程と、に分けることが好ましい。
（５）第１の筒部１０、１０及び第２の筒部２０、２０に４本の角材９１、９１、９２、９２を挿入・固定する工程
（６）５本の角材９１〜９３に面材９４を固定する工程
【００３５】
上述したように、既設の窓Ｗが外壁面よりも内側に引き込まれている場合には、内側に雨戸用の治具Ｍ、Ｍを載置したうえで、図５（ｂ）に示すように、斜めの部材を対角線上に伸ばして圧縮力を作用させることによって、雨戸用の治具Ｍとともに角材９１〜９３を窓Ｗに対して固定する。その後、固定された角材９１〜９３に面材９４を固定することによって、雨戸Ｓが完成する。
【００３６】
（効果）
次に、本実施例の雨戸用の治具Ｍの奏する効果を列挙して説明する。
【００３７】
（１）上述してきたように、本実施例の雨戸用の治具Ｍは、角材９１が挿入される第１の筒部１０と、角材９２が挿入される第２の筒部２０であって、第１の筒部１０に直交して略Ｌ字形状をなすように一体に形成される、第２の筒部２０と、９３角材が挿入される第３の筒部３０であって、第１の筒部１０及び第２の筒部２０に対して回転可能に形成される、第３の筒部３０と、を備えている。このような構成であれば、この雨戸用の治具Ｍに角材９１〜９３を挿入し、角材９１〜９３に面材９４を取り付けることによって、比較的に強度が高く、外壁を傷つけることなく簡易に取り付けることができる雨戸Ｓを提供することができる。
【００３８】
そのため、比較的に予測可能な災害に対して、あらかじめ雨戸Ｓを設置しておくことによって、窓Ｗを守ることができる。また、被災後には、応急処置用の簡易窓としても使用することができる。さらに、前面に設置する面材９４として強度の高い部材を用いることによって、窓Ｗを強固に保護することができる。
【００３９】
（２）また、第３の筒部３０に挿入される角材９３の軸線方向に伸縮して、第３の筒部３０に挿入される角材９３に軸線方向の圧縮力又は引張力を作用させる、伸縮機構５０をさらに備えることが好ましい。このように伸縮機構５０を備えることで、窓Ｗや外壁を傷つけることなく、雨戸Ｓをより強固に窓Ｗに固定できる。
【００４０】
（３）さらに、第１の筒部１０、第２の筒部２０、及び、第３の筒部３０には、挿入された角材９１〜９３を所望の位置に固定するための複数の取付孔１１、２１、３１、・・・が、長さ方向に間隔を空けて形成されているため、角材９１〜９３を強固に固定できるうえ、任意の様々な長さの角材９１〜９３を固定しやすくなる。
【００４１】
（４）また、第１の筒部１０又は第２の筒部２０の少なくともいずれか一方は、末端が開口されており、挿入された角材９１、９２が貫通できるようにされているため、角材９１、９２の端部を筒部１０、２０から出しておくことができるため、角材９１、９２の長さを正確に計測することなく、簡易かつ迅速に角材９１、９２を挿入及び固定できる。
【００４２】
（５）さらに、第１の筒部１０及び第２の筒部２０は、直交する第１の筒部１０と第２の筒部２０によってなす平面の面外に突出する掛止部１３、２３をさらに有し、掛止部１３、２３にはガスケット１４、２４が設置されていることによって、既設窓Ｗを外側からしっかりと保持できる。
【００４３】
（６）そして、本実施例の雨戸Ｓは、既設窓Ｗにおいて対角位置に配置された１対の雨戸用の治具Ｍ、Ｍであって、上述したいずれかの１対の雨戸用の治具Ｍ、Ｍと、第１の筒部１０、１０のそれぞれに挿入・固定された角材９１、９１と、第２の筒部２０、２０のそれぞれに挿入・固定された角材９２、９２と、対向する第３の筒部３０、３０の間に共通して挿入・固定された角材９３と、角材９１〜９３に固定された面材９４と、を備えている。このような構成であれば、比較的に強度が高く、外壁を傷つけることなく簡易に取り付けることができる雨戸Ｓとなる。
【００４４】
（７）そして、本実施例の雨戸の構築方法は、上述した（５）の雨戸用の治具Ｍを用いて、外壁面より突出した既設窓Ｗに雨戸Ｓを構築する、雨戸の構築方法である。この雨戸の構築方法は、以下の各工程から構成される。すなわち、雨戸の構築方法は、以下の６つの工程を備えている。
・１対の雨戸用の治具Ｍ、Ｍを既設窓Ｗの対角位置に配置する工程。
・１対の雨戸用の治具Ｍ、Ｍの第３の筒部３０、３０の間に共通して角材９３を挿入・固定する工程。
・掛止部１３、２３を既設窓Ｗの枠の外側に引っ掛ける工程。
・伸縮機構５０を縮めることで角材９３の軸線方向に引張力を作用させる工程。
・第１の筒部１０及び第２の筒部２０に角材９１、９２を挿入・固定する工程。
・角材９１〜９３に面材９４を固定する工程。
このような構築方法によれば、外壁面より突出した既設窓Ｗに、比較的に強度が高く、外壁を傷つけることなく簡易に取り付けることができる雨戸Ｓを構築できる。
【００４５】
（８）そして、本実施例の雨戸の構築方法は、上述した（２）−（５）の雨戸用の治具Ｍを用いて、外壁面より引き込まれた既設窓Ｗに雨戸Ｓを構築する、雨戸の構築方法である。この雨戸の構築方法は、以下の各工程から構成される。すなわち、雨戸の構築方法は、以下の６つの工程を備えている。
・１対の雨戸用の治具Ｍ、Ｍを既設窓Ｗの対角位置に配置する工程。
・１対の雨戸用の治具Ｍ、Ｍの第３の筒部３０、３０の間に共通して角材９３を挿入・固定する工程。
・雨戸用の治具Ｍ、Ｍを既設窓Ｗの枠の内側に載置する工程。
・伸縮機構５０を伸ばすことで角材９３の軸線方向に圧縮力を作用させる工程。
・第１の筒部１０及び第２の筒部２０に角材９１、９２を挿入・固定する工程。
・角材９１〜９３に面材９４を固定する工程。
このような構築方法によれば、外壁面より引き込まれた（控えた）既設窓Ｗに、比較的に強度が高く、外壁を傷つけることなく簡易に取り付けることができる雨戸Ｓを構築できる。
【００４６】
以上、図面を参照して、本発明の実施例を詳述してきたが、具体的な構成は、この実施例に限らず、本発明の要旨を逸脱しない程度の設計的変更は、本発明に含まれる。
【００４７】
例えば、実施例では、雨戸用の治具Ｍを金属製であるものとして説明したが、金属製に限定されるものではなく、例えば、セラミック製であってもよいし、高強度の合成樹脂製であってもよい。
【００４８】
また、雨戸用の治具Ｍの実際の配置は、実施例で説明した配置に限定されるものではない。具体的には、図６（ａ）−（ｃ）に示すように、多様な配置とすることができる。とりわけ、図６（ｃ）に示すように、既設窓Ｗが大きい（面積が広い）場合には、雨戸用の治具Ｍを４つ使うこともできる。この場合、面材９４を固定する便宜上、斜めの角材９３が交差しないように、２本の斜めの角材９３、９３の端部を残りの１本の斜めの角材９３に当接させてビス等によって固定することが好ましい。
【符号の説明】
【００４９】
１０    ：第１の筒部
１０ａ  ：挿入部；  １１    ：孔；  １２    ：孔；
１３    ：掛止部；  １４    ：ガスケット
２０    ：第２の筒部
２０ａ  ：挿入部；  ２１    ：孔；  ２２    ：孔；
２３    ：掛止部；  ２４    ：ガスケット
３０    ：第３の筒部
３０ａ  ：挿入部；  ３１    ：孔；  ３２    ：孔
４１    ：ブラケット；  ４２    ：回転軸
５０    ：伸縮機構
５１    ：右ネジ；  ５２    ：ネジ部材；  ５３    ：左ネジ
５４    ：ハンドル；  ５５    ：ウォーム；  ５６    ：ウォーム歯車
６０    ：取付部；  ６１    ：取付孔
７０    ：ナット部
９１    ：角材；  ９２    ：角材；  ９３    ：角材；  ９４    ：面材
Ｍ      ：治具
Ｓ      ：雨戸
Ｗ      ：既設窓
【要約】
【課題】窓に簡易に取り付けることができる雨戸用の治具を提供する。
【解決手段】雨戸用の治具Ｍは、角材９１が挿入される第１の筒部１０と、角材９２が挿入される第２の筒部２０であって、第１の筒部１０に直交して略Ｌ字形状をなすように一体に形成される、第２の筒部２０と、９３角材が挿入される第３の筒部３０であって、第１の筒部１０及び第２の筒部２０に対して回転可能に形成される、第３の筒部３０と、を備えている。第３の筒部３０に挿入される角材９３の軸線方向に伸縮して、第３の筒部３０に挿入される角材９３に軸線方向の圧縮力又は引張力を作用させる、伸縮機構５０をさらに備えることが好ましい。
【選択図】図１【図１】
0006864410.tif 000002
【図２】
0006864410.tif 000003
【図３】
0006864410.tif 000004
【図４】
0006864410.tif 000005
【図５】
0006864410.tif 000006
【図６】
0006864410.tif 000007